(57)【特許請求の範囲】
【請求項１】
筒部材と、
前記筒部材内に配置される円柱部材と、
前記筒部材または前記円柱部材に形成した突起部と、
前記突起部が摺動するガイド部と、
前記円柱部材を一方へ付勢する弾性部材と、
前記円柱部材を他方へ押圧する押圧体と
を備え、
前記筒部材の軸方向に対して前記円柱部材の停止位置が異なる第１停止位置と第２停止位置とを有し、
前記ガイド部が、少なくとも第１ガイド部、第２ガイド部、第３ガイド部、および第４ガイド部とからなり、
前記第１ガイド部は、第１ガイド部開始位置と第１ガイド部終了位置とを結ぶ第１ガイド部仮想線が前記筒部材の軸線に対して０度より大きな第１ガイド部仮想傾斜角を有し、
前記第２ガイド部は、第２ガイド部開始位置と第２ガイド部終了位置とを結ぶ第２ガイド部仮想線が前記軸線に対して０度より大きな第２ガイド部仮想傾斜角を有し、
前記第３ガイド部は、第３ガイド部開始位置と第３ガイド部終了位置とを結ぶ第３ガイド部仮想線が前記軸線に対して０度より大きな第３ガイド部仮想傾斜角を有し、
前記第４ガイド部は、第４ガイド部開始位置と第４ガイド部終了位置とを結ぶ第４ガイド部仮想線が前記軸線に対して０度より大きな第４ガイド部仮想傾斜角を有し、
前記突起部は、前記弾性部材からの付勢力より大きな前記押圧体からの付勢力によって前記第１ガイド部および前記第３ガイド部を摺動し、
前記突起部は、前記弾性部材からの前記付勢力によって前記第２ガイド部および前記第４ガイド部を摺動し、
前記第１停止位置にある前記突起部は、前記第１ガイド部開始位置、前記第１ガイド部終了位置、前記第２ガイド部開始位置、および前記第２ガイド部終了位置を順に移動して前記第２停止位置に至り、
前記第２停止位置にある前記突起部は、前記第３ガイド部開始位置、前記第３ガイド部終了位置、前記第４ガイド部開始位置、および前記第４ガイド部終了位置を順に移動して前記第１停止位置に至り、
前記押圧体からの前記付勢力によって、前記円柱部材が前記筒部材の一方に移動し、前記突起部が前記第１ガイド部に当接して摺動することで、前記円柱部材は前記筒部材に対して所定角度だけ相対的に回動する第１動作を行い、
前記押圧体からの付勢力の解除によって、前記円柱部材が前記筒部材の他方に移動し、前記突起部が前記第２ガイド部に当接して摺動することで、前記円柱部材は前記筒部材に対して所定角度だけ相対的に回動する第２動作を行い、
前記第１停止位置にある前記突起部は、前記第１動作および前記第２動作の後に前記第２停止位置に移動し、
前記押圧体からの前記付勢力によって、前記円柱部材が前記筒部材の前記一方に移動し、前記突起部が前記第３ガイド部に当接して摺動することで、前記円柱部材は前記筒部材に対して所定角度だけ相対的に回動する第３動作を行い、
前記押圧体からの付勢力の解除によって、前記円柱部材が前記筒部材の前記他方に移動し、前記突起部が前記第４ガイド部に当接して摺動することで、前記円柱部材は前記筒部材に対して所定角度だけ相対的に回動する第４動作を行い、
前記第２停止位置にある前記突起部は、前記第３動作および前記第４動作の後に前記第１停止位置に移動する
切替装置であって、
前記第１動作、前記第２動作、前記第３動作、および前記第４動作における前記円柱部材の回動動作は前記筒部材に対して同じ方向であり、
前記第１動作開始から前記第４動作終了までの間に前記円柱部材は前記筒部材に対して３６０度回転し、
前記第１ガイド部、前記第２ガイド部、前記第３ガイド部、および前記第４ガイド部はすべて前記筒部材の前記軸線に対して傾斜し、前記突起部は常に傾斜させた前記ガイド部に沿って移動し、
前記第１停止位置と前記第１ガイド部終了位置との周方向距離が、前記第２停止位置と前記第３ガイド部終了位置との周方向距離よりも短く、
前記第１ガイド部終了位置を、前記第２ガイド部開始位置より所定角度進んだ位置とし、
前記第３ガイド部終了位置を、前記第４ガイド部開始位置より所定角度進んだ位置とし、
前記第１停止位置を、前記第１ガイド部開始位置より所定角度進んだ位置とし、
前記第２停止位置を、前記第３ガイド部開始位置より所定角度進んだ位置とし、
前記第１ガイド部終了位置と前記第２ガイド部開始位置との前記所定角度、前記第３ガイド部終了位置と前記第４ガイド部開始位置との前記所定角度、前記第１停止位置と前記第１ガイド部開始位置との前記所定角度、及び前記第２停止位置と前記第３ガイド部開始位置との前記所定角度が一定である
ことを特徴とする切替装置。
【請求項２】
前記突起部を前記筒部材に形成し、前記ガイド部を前記円柱部材に形成したことを特徴とする請求項１に記載の切替装置。
【請求項３】
前記第１ガイド部、前記第２ガイド部、前記第３ガイド部、および前記第４ガイド部を、連続した溝の側壁で形成したことを特徴とする請求項１又は請求項２に記載の切替装置。
【請求項４】
前記第１ガイド部、前記第２ガイド部、前記第３ガイド部、および前記第４ガイド部の少なくともいずれかを直線状に形成したことを特徴とする請求項１から請求項３のいずれか１項に記載の切替装置。
【請求項５】
前記第１ガイド部、前記第２ガイド部、前記第３ガイド部、および前記第４ガイド部の少なくともいずれかを曲線状に形成したことを特徴とする請求項１から請求項３のいずれか１項に記載の切替装置。
【請求項６】
前記溝の断面形状を、矩形または台形としたことを特徴とする請求項３に記載の切替装置。
【請求項７】
前記突起部を、円柱状または円錐台状としたことを特徴とする請求項１から請求項６のいずれか１項に記載の切替装置。
【請求項８】
第１電極部と第２電極部とを備え、
前記第１停止位置では、前記第１電極部と前記第２電極部とが電気的に接続され、
前記第２停止位置では、前記第１電極部と前記第２電極部とが電気的に切り離される
ことを特徴とする請求項１から請求項７のいずれか１項に記載の切替装置。
【請求項９】
先端に筆記部を有するリフィールを備え、
前記第１停止位置では、前記筆記部がケース本体から突出し、
前記第２停止位置では、前記筆記部が前記ケース本体内に収納される
ことを特徴とする請求項１から請求項７のいずれか１項に記載の切替装置。
【請求項１０】
ロックバーを備え、
前記第１停止位置では、前記ロックバーが係合部に係合し、
前記第２停止位置では、前記ロックバーが前記係合部から解除される
ことを特徴とする請求項１から請求項７のいずれか１項に記載の切替装置。
【発明の詳細な説明】
【技術分野】
【０００１】
本発明は、例えば電源のスイッチ、ボールペンなどの筆記具、またはロック機構として利用できる切替装置に関する。
【背景技術】
【０００２】
特許文献１は、モーメンタリ動作スイッチを、容易にオルタネイト動作スイッチに機能変更できる機構を提案している。特許文献１は、モーメンタリ動作をするスイッチを囲むように配置したバネ体の上にオルタネイト機構部を設けており、このオルタネイト機構部が切替装置を構成している。特許文献１における切替装置は、鋸歯状を呈する歯の先部分と根元部分に２つの切欠を有するガイド部を貫通穴部の内周面に形成した外囲体と、この外囲体の貫通穴部に挿入される円筒状をなすとともにその外周表面の所定位置にガイド部に係合する凸部を備えた可動体とから構成している。可動体は、バネ体によって一方へ付勢されるとともに、押しボタンによって他方へ押圧される。鋸歯状を呈する歯がガイド部として機能し、歯の先部分と根元部分に設けた２つの切欠が第１停止位置と第２停止位置とを形成している。そして、特許文献１では、凸部が歯に沿って摺動することで、可動体は外囲体に対して回転しながら、第１停止位置と第２停止位置とで停止する。
特許文献２は、ノック式の筆記具を提案し、筆記時の状態からノック棒を押すと回転子のカム突起は右側へ回転し、指を離すとカム突起は、スプリングの反発力によって、斜面を滑って回転した後、第一の垂直移動、第二の垂直移動を行うことで収納状態となる。
特許文献２における回転子は、スプリングによって一方へ付勢されるとともに、ノック棒によって他方へ押圧される。なお、回転子の一端にはノックカムが設けられ、ノック棒の一端にはノック棒カムが設けられ、ノックカムとノック棒カムとの山形のピッチをずらして配設しているため、軸方向へのノック動作によって回転子は一定方向に回転力が与えられる。
【先行技術文献】
【特許文献】
【０００３】
【特許文献１】特開２００９−３２４０２号公報
【特許文献２】特開２００９−４５８２５号公報
【発明の概要】
【発明が解決しようとする課題】
【０００４】
特許文献１では、凸部をガイドする歯は、軸方向に対して傾斜したガイド部を一部に有するが、軸方向にガイド部を有している。軸方向のガイド部に沿って凸部が移動する場合には、回転力が加わらないため、停止位置に確実に移動するとは限らない。また、押しボタンに回転方向の力が加わると停止位置から外れることもある。
特許文献２では、ノック動作時には回転子に常に一定方向の回転力が与えられる。しかし、回転子に設けたカム突起をガイドする内筒カムは、軸方向に対して傾斜したガイド部だけでなく軸方向にもガイド部を有している。従って、軸方向のガイド部に沿って回転子が移動する場合には、回転力が加わった状態で軸方向に規制されるため、部材に負荷がかかる。
【０００５】
そこで本発明は、軸方向への付勢力の一部を常に周方向の動作に用いることができ、部材に無理な負荷をかけることなく、スムーズな切り替え動作を行わせることができる切替装置を提供することを目的とする。
【課題を解決するための手段】
【０００６】
請求項１記載の本発明の切替装置は、筒部材と、前記筒部材内に配置される円柱部材と、前記筒部材または前記円柱部材に形成した突起部と、前記突起部が摺動するガイド部と、前記円柱部材を一方へ付勢する弾性部材と、前記円柱部材を他方へ押圧する押圧体とを備え、前記筒部材の軸方向に対して前記円柱部材の停止位置が異なる第１停止位置と第２停止位置とを有し、前記ガイド部が、少なくとも第１ガイド部、第２ガイド部、第３ガイド部、および第４ガイド部とからなり、前記第１ガイド部は、第１ガイド部開始位置と第１ガイド部終了位置とを結ぶ第１ガイド部仮想線が前記筒部材の軸線に対して０度より大きな第１ガイド部仮想傾斜角を有し、前記第２ガイド部は、第２ガイド部開始位置と第２ガイド部終了位置とを結ぶ第２ガイド部仮想線が前記軸線に対して０度より大きな第２ガイド部仮想傾斜角を有し、前記第３ガイド部は、第３ガイド部開始位置と第３ガイド部終了位置とを結ぶ第３ガイド部仮想線が前記軸線に対して０度より大きな第３ガイド部仮想傾斜角を有し、前記第４ガイド部は、第４ガイド部開始位置と第４ガイド部終了位置とを結ぶ第４ガイド部仮想線が前記軸線に対して０度より大きな第４ガイド部仮想傾斜角を有し、前記突起部は、前記弾性部材からの付勢力より大きな前記押圧体からの付勢力によって前記第１ガイド部および前記第３ガイド部を摺動し、前記突起部は、前記弾性部材からの付勢力によって前記第２ガイド部および前記第４ガイド部を摺動し、前記第１停止位置にある前記突起部は、前記第１ガイド部開始位置、前記第１ガイド部終了位置、前記第２ガイド部開始位置、および前記第２ガイド部終了位置を順に移動して前記第２停止位置に至り、前記第２停止位置にある前記突起部は、前記第３ガイド部開始位置、前記第３ガイド部終了位置、前記第４ガイド部開始位置、および前記第４ガイド部終了位置を順に移動して前記第１停止位置に至り、前記押圧体からの前記付勢力によって、前記円柱部材が前記筒部材の一方に移動し、前記突起部が前記第１ガイド部に当接して摺動することで、前記円柱部材は前記筒部材に対して所定角度だけ相対的に回動する第１動作を行い、前記押圧体からの付勢力の解除によって、前記円柱部材が前記筒部材の他方に移動し、前記突起部が前記第２ガイド部に当接して摺動することで、前記円柱部材は前記筒部材に対して所定角度だけ相対的に回動する第２動作を行い、前記第１停止位置にある前記突起部は、前記第１動作および前記第２動作の後に前記第２停止位置に移動し、前記押圧体からの前記付勢力によって、前記円柱部材が前記筒部材の前記一方に移動し、前記突起部が前記第３ガイド部に当接して摺動することで、前記円柱部材は前記筒部材に対して所定角度だけ相対的に回動する第３動作を行い、前記押圧体からの付勢力の解除によって、前記円柱部材が前記筒部材の前記他方に移動し、前記突起部が前記第４ガイド部に当接して摺動することで、前記円柱部材は前記筒部材に対して所定角度だけ相対的に回動する第４動作を行い、前記第２停止位置にある前記突起部は、前記第３動作および前記第４動作の後に前記第１停止位置に移動する切替装置であって、前記第１動作、前記第２動作、前記第３動作、および前記第４動作における前記円柱部材の回動動作は前記筒部材に対して同じ方向であり、前記第１動作開始から前記第４動作終了までの間に前記円柱部材は前記筒部材に対して３６０度回転し、前記第１ガイド部、前記第２ガイド部、前記第３ガイド部、および前記第４ガイド部はすべて前記筒部材の前記軸線に対して傾斜し、前記突起部は常に傾斜させた前記ガイド部に沿って移動し、前記第１停止位置と前記第１ガイド部終了位置との周方向距離が、前記第２停止位置と前記第３ガイド部終了位置との周方向距離よりも短く、前記第１ガイド部終了位置を、前記第２ガイド部開始位置より所定角度進んだ位置とし、前記第３ガイド部終了位置を、前記第４ガイド部開始位置より所定角度進んだ位置とし、前記第１停止位置を、前記第１ガイド部開始位置より所定角度進んだ位置とし、前記第２停止位置を、前記第３ガイド部開始位置より所定角度進んだ位置とし、前記第１ガイド部終了位置と前記第２ガイド部開始位置との前記所定角度、前記第３ガイド部終了位置と前記第４ガイド部開始位置との前記所定角度、前記第１停止位置と前記第１ガイド部開始位置との前記所定角度、及び前記第２停止位置と前記第３ガイド部開始位置との前記所定角度が一定であることを特徴とする。
請求項２の本発明は、請求項１に記載の切替装置に記載の切替装置において、前記突起部を前記筒部材に形成し、前記ガイド部を前記円柱部材に形成したことを特徴とする。
請求項３の本発明は、請求項１又は請求項２に記載の切替装置に記載の切替装置において、前記第１ガイド部、前記第２ガイド部、前記第３ガイド部、および前記第４ガイド部を、連続した溝の側壁で形成したことを特徴とする。
請求項４の本発明は、請求項１から請求項３のいずれか１項に記載の切替装置に記載の切替装置において、前記第１ガイド部、前記第２ガイド部、前記第３ガイド部、および前記第４ガイド部の少なくともいずれかを直線状に形成したことを特徴とする。
請求項５の本発明は、請求項１から請求項３のいずれか１項に記載の切替装置に記載の切替装置において、前記第１ガイド部、前記第２ガイド部、前記第３ガイド部、および前記第４ガイド部の少なくともいずれかを曲線状に形成したことを特徴とする。
請求項６の本発明は、請求項３に記載の切替装置において、前記溝の断面形状を、矩形または台形としたことを特徴とする。
請求項７の本発明は、請求項１から請求項６のいずれか１項に記載の切替装置に記載の切替装置において、前記突起部を、円柱状または円錐台状としたことを特徴とする。
請求項８の本発明は、請求項１から請求項７のいずれか１項に記載の切替装置に記載の切替装置において、第１電極部と第２電極部とを備え、前記第１停止位置では、前記第１電極部と前記第２電極部とが電気的に接続され、前記第２停止位置では、前記第１電極部と前記第２電極部とが電気的に切り離されることを特徴とする。
請求項９の本発明は、請求項１から請求項７のいずれか１項に記載の切替装置に記載の切替装置において、先端に筆記部を有するリフィールを備え、前記第１停止位置では、前記筆記部がケース本体から突出し、前記第２停止位置では、前記筆記部が前記ケース本体内に収納されることを特徴とする。
請求項１０の本発明は、請求項１から請求項７のいずれか１項に記載の切替装置に記載の切替装置において、ロックバーを備え、前記第１停止位置では、前記ロックバーが係合部に係合し、前記第２停止位置では、前記ロックバーが前記係合部から解除されることを特徴とする。
【発明の効果】
【０００７】
本発明の切替装置によれば、第１ガイド部、第２ガイド部、第３ガイド部、および第４ガイド部はすべて筒部材の軸線に対して傾斜し、突起部は常に傾斜させたガイド部に沿って移動するため、軸方向への付勢力の一部を常に周方向の動作に用いることができ、部材に無理な負荷をかけることなく、スムーズな切り替え動作を行わせることができる。
【図面の簡単な説明】
【０００８】
【図１】本発明の一実施例による切替装置を電源スイッチに適用した場合の構成図
【図２】同切替装置の動作を示す説明図
【図３】本実施例による切替装置をボールペンなどの筆記具に適用した場合の構成図
【図４】同切替装置の動作を示す説明図
【図５】本実施例による切替装置を扉ロックなどのロック機構に適用した場合の構成図
【図６】同切替装置の動作を示す説明図
【発明を実施するための形態】
【０００９】
本発明の第１の実施の形態による切替装置は、第１動作、第２動作、第３動作、および第４動作における円柱部材の回動動作は筒部材に対して同じ方向であり、第１動作開始から第４動作終了までの間に円柱部材は筒部材に対して３６０度回転し、第１ガイド部、第２ガイド部、第３ガイド部、および第４ガイド部はすべて筒部材の軸線に対して傾斜し、突起部は常に傾斜させたガイド部に沿って移動し、第１停止位置と第１ガイド部終了位置との周方向距離が、第２停止位置と第３ガイド部終了位置との周方向距離よりも短く、第１ガイド部終了位置を、第２ガイド部開始位置より所定角度進んだ位置とし、第３ガイド部終了位置を、第４ガイド部開始位置より所定角度進んだ位置とし、第１停止位置を、第１ガイド部開始位置より所定角度進んだ位置とし、第２停止位置を、第３ガイド部開始位置より所定角度進んだ位置とし、第１ガイド部終了位置と第２ガイド部開始位置との所定角度、第３ガイド部終了位置と第４ガイド部開始位置との所定角度、第１停止位置と第１ガイド部開始位置との所定角度、及び第２停止位置と第３ガイド部開始位置との所定角度が一定であるものである。本実施の形態によれば、第１ガイド部、第２ガイド部、第３ガイド部、および第４ガイド部はすべて筒部材の軸線に対して傾斜し、突起部は常に傾斜させたガイド部に沿って移動するため、軸方向への付勢力の一部を常に周方向の動作に用いることができ、部材に無理な負荷をかけることなく、スムーズな切り替え動作を行わせることができる。また、円柱部材の軸方向への往復動作によって第１停止位置から第２停止位置への切り替え動作を行わせることができる。また、円柱部材の軸方向への往復動作によって第２停止位置から第１停止位置への切り替え動作を行わせることができる。また、円柱部材が筒部材に対して一方向に回動することで第１停止位置と第２停止位置との切り替え動作を繰り返すことができる。また、第１ガイド部終了位置から第２ガイド部への移動動作、および第３ガイド部終了位置から第４ガイド部への移動動作を安定して行うことができる。また、第１停止位置から第１ガイド部への移動動作、および第２停止位置から第３ガイド部への移動動作を安定して行うことができる。
【００１０】
本発明の第２の実施の形態は、第１の実施の形態による切替装置において、突起部を筒部材に形成し、ガイド部を円柱部材に形成したものである。本実施の形態によれば、筒部材内面よりも円柱部材の外面が成形しやすいため、ガイド部を成形しやすい。
【００１１】
本発明の第３の実施の形態は、第１又は第２の実施の形態による切替装置において、第１ガイド部、第２ガイド部、第３ガイド部、および第４ガイド部を、連続した溝の側壁で形成したものである。本実施の形態によれば、連続した溝の側壁で第１ガイド部、第２ガイド部、第３ガイド部、および第４ガイド部を形成することで、ガイド部の強度を高めることができるとともに製作が容易である。
【００１２】
本発明の第４の実施の形態は、第１から第３のいずれかの実施の形態による切替装置において、第１ガイド部、第２ガイド部、第３ガイド部、および第４ガイド部の少なくともいずれかを直線状に形成したものである。本実施の形態によれば、直線状に形成したガイド部では突起部の周方向動作および軸方向動作を一定速さとすることができる。
【００１３】
本発明の第５の実施の形態は、第１から第３のいずれかの実施の形態による切替装置において、第１ガイド部、第２ガイド部、第３ガイド部、および第４ガイド部の少なくともいずれかを曲線状に形成したものである。本実施の形態によれば、曲線状に形成したガイド部では突起部の周方向動作および軸方向動作の速さに変化を持たせることができる。
【００１４】
本発明の第６の実施の形態は、第３の実施の形態による切替装置において、溝の断面形状を、矩形または台形としたものである。本実施の形態によれば、突起部を溝に沿って摺動させやすい。
【００１５】
本発明の第７の実施の形態は、第１から第６のいずれかの実施の形態による切替装置において、突起部を、円柱状または円錐台状としたものである。本実施の形態によれば、突起部の当接面を小さくできるため突起部を溝に沿って摺動させやすい。
【００１６】
本発明の第８の実施の形態は、第１から第７のいずれかの実施の形態による切替装置において、第１電極部と第２電極部とを備え、第１停止位置では、第１電極部と第２電極部とが電気的に接続され、第２停止位置では、第１電極部と第２電極部とが電気的に切り離されるものである。本実施の形態によれば、電源のスイッチとして利用することができる。
【００１７】
本発明の第９の実施の形態は、第１から第７のいずれかの実施の形態による切替装置において、先端に筆記部を有するリフィールを備え、第１停止位置では、筆記部がケース本体から突出し、第２停止位置では、筆記部がケース本体内に収納されるものである。本実施の形態によれば、ボールペンなどの筆記具として利用することができる。
【００１８】
本発明の第１０の実施の形態は、第１から第７のいずれかの実施の形態による切替装置において、ロックバーを備え、第１停止位置では、ロックバーが係合部に係合し、第２停止位置では、ロックバーが係合部から解除されるものである。本実施の形態によれば、扉ロックなどのロック機構として利用することができる。
【実施例】
【００１９】
以下本発明の一実施例による切替装置について説明する。
図１は本実施例による切替装置を電源スイッチに適用した場合の構成図であり、図１（ａ）は同切替装置の断面図、図１（ｂ）は同装置に用いる円柱部材の側面の展開図である。
本実施例による切替装置は、筒部材１１と、筒部材１１内に配置される円柱部材２１と、円柱部材２１を一方へ付勢する弾性部材３１と、円柱部材２１を他方へ押圧する押圧体４１と、電極部５０とを備えている。
電極部５０は、第１電極部５１、第２電極部５２、および電極部本体５３から構成されている。電極部本体５３の外表面の少なくとも一部には導電材５４を設けている。電極部本体５３の軸方向移動により、第１電極部５１と第２電極部５２とがともに導電材５４に当接するときに電気的に接続され（電源ＯＮ）、第１電極部５１または第２電極部５２が導電材５４に当接しないときに電気的に切り離される（電源ＯＦＦ）。
円柱部材２１の一端には、押圧体４１の一端が当接している。押圧体４１の他端は筒部材１１の一端から外方に突出している。円柱部材２１と押圧体４１との間は、摩擦抵抗が小さく、円柱部材２１は押圧体４１に対して摺動する。円柱部材２１の他端には、電極部本体５３を設けている。円柱部材２１の他端と電極部本体５３の一端とは摺動可能に当接していることが好ましいが、固定されていてもよい。
電極部本体５３の他端には、例えばコイルバネなどの弾性部材３１を設けている。弾性部材３１としては、圧縮空気、竹の子バネ、皿バネ、ウレタンゴム、樹脂スプリングなどを、それぞれ単独で、または組み合わせて用いることができる。電極部本体５３の他端と弾性部材３１の一端とは、摺動可能に当接していることが好ましいが、円柱部材２１の他端と電極部本体５３の一端とが摺動可能に当接している場合には、固定されていてもよい。
弾性部材３１の他端は筒部材１１の他端内面に当接している。弾性部材３１の他端と筒部材１１の他端内面とは摺動可能に当接していることが好ましいが、固定されていてもよい。
【００２０】
筒部材１１には、突起部１０を形成している。また、円柱部材２１には、突起部１０が摺動する溝６０を環状に形成している。溝６０は、円柱部材２１の全周（３６０度）に連続して形成し、溝６０の側壁でガイド部を形成している。
ガイド部は、本実施例では、第１ガイド部６１、第２ガイド部６２、第３ガイド部６３、および第４ガイド部６４とからなる。
溝６０には、突起部１０が停止する２つの停止位置１０ａ、１０ｂを有しており、第１停止位置１０ａと第２停止位置１０ｂとは、筒部材１１または円柱部材２１の軸線ｙ方向に距離Ｈだけ離れている。
【００２１】
第１ガイド部６１は、第１ガイド部開始位置６１ａと第１ガイド部終了位置６１ｂとを結ぶ第１ガイド部仮想線６１ｘが筒部材１１または円柱部材２１の軸線ｙに対して０度より大きな第１ガイド部仮想傾斜角６１αを有している。ここで、第１ガイド部仮想傾斜角６１αは９０度より大きく１８０度より小さい角度が適している。
第２ガイド部６２は、第２ガイド部開始位置６２ａと第２ガイド部終了位置６２ｂとを結ぶ第２ガイド部仮想線６２ｘが筒部材１１または円柱部材２１の軸線ｙに対して０度より大きな第２ガイド部仮想傾斜角６２αを有している。ここで、第２ガイド部仮想傾斜角６２αは０度より大きく９０度より小さい角度が適している。
第３ガイド部６３は、第３ガイド部開始位置６３ａと第３ガイド部終了位置６３ｂとを結ぶ第３ガイド部仮想線６３ｘが筒部材１１または円柱部材２１の軸線ｙに対して０度より大きな第３ガイド部仮想傾斜角６３αを有している。ここで、第３ガイド部仮想傾斜角６３αは９０度より大きく１８０度より小さい角度が適している。
第４ガイド部６４は、第４ガイド部開始位置６４ａと第４ガイド部終了位置６４ｂとを結ぶ第４ガイド部仮想線６４ｘが筒部材１１または円柱部材２１の軸線ｙに対して０度より大きな第４ガイド部仮想傾斜角６４αを有している。ここで、第４ガイド部仮想傾斜角６４αは０度より大きく９０度より小さい角度が適している。
【００２２】
本実施例では、第１停止位置１０ａは、第１ガイド部開始位置６１ａより所定角度、すなわち軸線ｙに直交する方向（周方向）に距離Ｌだけ進んだ位置としている。第１停止位置１０ａを、第１ガイド部開始位置６１ａより所定角度進んだ位置とすることで、第１停止位置１０ａから第１ガイド部６１への移動動作を安定して行うことができる。
また、第１ガイド部終了位置６１ｂは、第２ガイド部開始位置６２ａより所定角度、すなわち軸線ｙに直交する方向（周方向）に距離Ｌだけ進んだ位置としている。第１ガイド部終了位置６１ｂを、第２ガイド部開始位置６２ａより所定角度進んだ位置とすることで、第１ガイド部終了位置６１ｂから第２ガイド部６２への移動動作を安定して行うことができる。
また、第２停止位置１０ｂは、第３ガイド部開始位置６３ａより所定角度、すなわち軸線ｙに直交する方向（周方向）に距離Ｌだけ進んだ位置としている。第２停止位置１０ｂを、第３ガイド部開始位置６３ａより所定角度進んだ位置とすることで、第２停止位置１０ｂから第３ガイド部６３への移動動作を安定して行うことができる。
また、第３ガイド部終了位置６３ｂは、第４ガイド部開始位置６４ａより所定角度、すなわち軸線ｙに直交する方向（周方向）に距離Ｌだけ進んだ位置としている。第３ガイド部終了位置６３ｂを、第４ガイド部開始位置６４ａより所定角度進んだ位置とすることで、第３ガイド部終了位置６３ｂから第４ガイド部６４への移動動作を安定して行うことができる。
【００２３】
図２は、本実施例による切替装置の動作を示す説明図である。
図２（Ａ）は同装置の電源ＯＮ状態、図２（Ｂ）は同装置の切替動作状態、図２（Ｃ）は同装置の電源ＯＦＦ状態を示している。また、図２（ａ）は同装置の電源ＯＮ状態での突起部の位置、図２（ｂ）は同装置の切替動作状態での突起部の位置、図２（ｃ）は同装置の電源ＯＦＦ状態での突起部の位置、図２（ｄ）は同装置の切替動作状態での突起部の位置、図２（ａ→ｂ）は同装置の第１動作、図２（ｂ→ｃ）は同装置の第２動作、図２（ｃ→ｄ）は同装置の第３動作、図２（ｄ→ａ）は同装置の第４動作を示している。
【００２４】
図２（ａ）に示すように、同装置の電源ＯＮ状態では、突起部１０は、第１停止位置１０ａに位置している。
そして、図２（Ａ）に示すように、同装置の電源ＯＮ状態では、第１電極部５１と第２電極部５２とは、ともに導電材５４に当接し、電気的に接続されている。
【００２５】
図２（Ａ）に示す状態で、押圧体４１を押圧する。弾性部材３１より大きな付勢力を押圧体４１に加えることで、押圧体４１からの付勢力によって、円柱部材２１は筒部材１１の一方に移動し、突起部１０が第１ガイド部６１に当接して摺動することで、円柱部材２１は筒部材１１に対して所定角度だけ相対的に回動する第１動作を行う。
本実施例のように、第１停止位置１０ａを、第１ガイド部開始位置６１ａより所定角度進んだ位置としている場合には、第１停止位置１０ａにある突起部１０は、図２（ａ）に示す第１停止位置１０ａから、第１ガイド部６１に当接し、図２（ａ→ｂ）に示すように第１ガイド部６１を摺動して第１ガイド部終了位置６１ｂに安定して確実に移動する。
図２（Ｂ）および図２（ｂ）は、この第１動作の終了時点を示している。
【００２６】
図２（Ｂ）に示す状態で、押圧体４１からの付勢力を解除する。押圧体４１からの付勢力の解除によって、円柱部材２１は筒部材１１の他方に移動し、突起部１０は第２ガイド部６２に当接して摺動することで、円柱部材２１は筒部材１１に対して所定角度だけ相対的に回動する第２動作を行う。
【００２７】
本実施例のように、第１ガイド部終了位置６１ｂを、第２ガイド部開始位置６２ａより所定角度進んだ位置としている場合には、第１ガイド部終了位置６１ｂにある突起部１０は、図２（ｂ）に示す第１ガイド部終了位置６１ｂから、第２ガイド部６２に当接し、図２（ｂ→ｃ）に示すように第２ガイド部６２を摺動して第２停止位置１０ｂに安定して確実に移動する。
図２（Ｃ）および図２（ｃ）は、この第２動作の終了時点を示している。
【００２８】
図２（ｃ）に示すように、同装置の電源ＯＦＦ状態では、突起部１０は、第２停止位置１０ｂに位置している。
そして、図２（Ｃ）に示すように、同装置の電源ＯＦＦ状態では、第１電極部５１は導電材５４に当接せず、第１電極部５１と第２電極部５２とは電気的に切り離される。
以上のように、第１停止位置１０ａにある突起部１０は、第１動作および第２動作の後に第２停止位置１０ｂに移動し、円柱部材２１の軸方向への往復動作によって第１停止位置１０ａから第２停止位置１０ｂへの切り替え動作を行わせることができる。
【００２９】
図２（Ｃ）に示す状態で、押圧体４１を押圧する。弾性部材３１より大きな付勢力を押圧体４１に加えることで、押圧体４１からの付勢力によって、円柱部材２１は筒部材１１の一方に移動し、突起部１０が第３ガイド部６３に当接して摺動することで、円柱部材２１は筒部材１１に対して所定角度だけ相対的に回動する第３動作を行う。
本実施例のように、第２停止位置１０ｂを、第３ガイド部開始位置６３ａより所定角度進んだ位置としている場合には、第２停止位置１０ｂにある突起部１０は、図２（ｃ）に示す第２停止位置１０ｂから、第３ガイド部６３に当接し、図２（ｃ→ｄ）に示すように第３ガイド部６３を摺動して第３ガイド部終了位置６３ｂに安定して確実に移動する。
図２（Ｂ）および図２（ｄ）は、この第３動作の終了時点を示している。
【００３０】
図２（Ｂ）に示す状態で、押圧体４１からの付勢力を解除する。押圧体４１からの付勢力の解除によって、円柱部材２１は筒部材１１の他方に移動し、突起部１０は第４ガイド部６４に当接して摺動することで、円柱部材２１は筒部材１１に対して所定角度だけ相対的に回動する第４動作を行う。
【００３１】
本実施例のように、第３ガイド部終了位置６３ｂを、第４ガイド部開始位置６４ａより所定角度進んだ位置としている場合には、第３ガイド部終了位置６３ｂにある突起部１０は、図２（ｄ）に示す第３ガイド部終了位置６３ｂから、第４ガイド部６４に当接し、図２（ｄ→ａ）に示すように第４ガイド部６４を摺動して第１停止位置１０ａに安定して確実に移動する。
図２（Ａ）および図２（ａ）は、この第４動作の終了時点を示している。
以上のように、第２停止位置１０ｂにある突起部１０は、第３動作および第４動作の後に第１停止位置１０ａに移動し、円柱部材２１の軸方向への往復動作によって第２停止位置１０ｂから第１停止位置１０ａへの切り替え動作を行わせることができる。
【００３２】
以上のように本実施例によれば、第１ガイド部６１、第２ガイド部６２、第３ガイド部６３、および第４ガイド部６４はすべて筒部材１１または円柱部材２１の軸線ｙに対して傾斜し、突起部１０は常に傾斜させたガイド部に沿って移動するため、軸方向への付勢力の一部を常に周方向の動作に用いることができ、部材に無理な負荷をかけることなく、スムーズな切り替え動作を行わせることができる。
また、本実施例は、第１動作、第２動作、第３動作、および第４動作における円柱部材２１の回動動作は筒部材１１に対して同じ方向であり、第１動作開始から第４動作終了までの間に円柱部材２１は筒部材１１に対して３６０度回転する。本実施例によれば、円柱部材２１が筒部材１１に対して一方向に回動することで第１停止位置１０ａと第２停止位置１０ｂとの切り替え動作を繰り返すことができる。
また、本実施例は、突起部１０を筒部材１１に形成し、ガイド部を溝６０として円柱部材２１に形成している。本実施例によれば、筒部材１１内面よりも円柱部材２１の外面が成形しやすいため、ガイド部を成形しやすい。
【００３３】
図３は本実施例による切替装置をボールペンなどの筆記具に適用した場合の構成図であり、図３（ａ）は同切替装置の断面図、図３（ｂ）は同装置に用いる円柱部材の側面の展開図である。
本実施例による切替装置は、ケース本体となる筒部材１２と、筒部材１２内に配置される円柱部材２２と、円柱部材２２を一方へ付勢する弾性部材３２と、円柱部材２２を他方へ押圧する押圧体４２と、先端に筆記部７１を有するリフィール７０とを備えている。
円柱部材２２の一端には、押圧体４２の一端が当接している。押圧体４２の他端は筒部材１２の一端から外方に突出している。円柱部材２２と押圧体４２との間は、摩擦抵抗が小さく、円柱部材２２は押圧体４２に対して摺動する。円柱部材２２の他端には、リフィール７０を設けている。円柱部材２２の他端とリフィール７０の後端とは摺動可能に当接していることが好ましいが、固定されていてもよい。
リフィール７０の先端側の筆記部７１の外周には、例えばコイルバネなどの弾性部材３２を設けている。リフィール７０の先端側と弾性部材３２の一端とは、摺動可能に当接していることが好ましいが、円柱部材２２の他端とリフィール７０の後端とが摺動可能に当接している場合には、固定されていてもよい。
弾性部材３２の他端は筒部材１２の他端内面に当接している。弾性部材３２の他端と筒部材１２の他端内面とは摺動可能に当接していることが好ましいが、固定されていてもよい。
筒部材１２には、突起部１０を形成している。また、円柱部材２２には、突起部１０が摺動する溝６０を環状に形成している。溝６０については、図１に示す実施例と同一であるため、同一符号を付して説明を省略する。
【００３４】
図４は、本実施例による切替装置の動作を示す説明図である。
図４（Ａ）は同装置の筆記部がケース本体から突出した状態（使用状態）、図４（Ｂ）は同装置の切替動作状態、図４（Ｃ）は同装置の筆記部がケース本体内に収納された状態（収納状態）を示している。また、図４（ａ）は同装置の使用状態での突起部の位置、図４（ｂ）は同装置の切替動作状態での突起部の位置、図４（ｃ）は同装置の収納状態での突起部の位置、図４（ｄ）は同装置の切替動作状態での突起部の位置、図４（ａ→ｂ）は同装置の第１動作、図４（ｂ→ｃ）は同装置の第２動作、図４（ｃ→ｄ）は同装置の第３動作、図４（ｄ→ａ）は同装置の第４動作を示している。
なお、図４（ａ）、図４（ｂ）、図４（ｃ）、図４（ｄ）、図４（ａ→ｂ）、図４（ｂ→ｃ）、図４（ｃ→ｄ）、図４（ｄ→ａ）に関しては、図２に示す実施例と機能および動作が同一であるため、同一符号を付して説明を省略する。
【００３５】
図４（ａ）に示すように、同装置の使用状態では、突起部１０は、第１停止位置１０ａに位置している。
そして、図４（Ａ）に示すように、同装置の使用状態では、筆記部７１がケース本体（筒部材）１２から突出している。
【００３６】
図４（Ａ）に示す状態で、押圧体４２を押圧する。弾性部材３２より大きな付勢力を押圧体４２に加えることで、押圧体４２からの付勢力によって、円柱部材２２は筒部材１２の一方に移動し、突起部１０が第１ガイド部６１に当接して摺動することで、円柱部材２２は筒部材１２に対して所定角度だけ相対的に回動する第１動作を行う。
図４（Ｂ）および図４（ｂ）は、この第１動作の終了時点を示している。
【００３７】
図４（Ｂ）に示す状態で、押圧体４２からの付勢力を解除する。押圧体４２からの付勢力の解除によって、円柱部材２２は筒部材１２の他方に移動し、突起部１０は第２ガイド部６２に当接して摺動することで、円柱部材２２は筒部材１２に対して所定角度だけ相対的に回動する第２動作を行う。
図４（Ｃ）および図４（ｃ）は、この第２動作の終了時点を示している。
【００３８】
図４（ｃ）に示すように、同装置の収納状態では、突起部１０は、第２停止位置１０ｂに位置している。
そして、図４（Ｃ）に示すように、同装置の収納状態では、筆記部７１が筒部材１２内に収納される。
以上のように、第１停止位置１０ａにある突起部１０は、第１動作および第２動作の後に第２停止位置１０ｂに移動し、円柱部材２２の軸方向への往復動作によって第１停止位置１０ａから第２停止位置１０ｂへの切り替え動作を行わせることができる。
【００３９】
図４（Ｃ）に示す状態で、押圧体４２を押圧する。弾性部材３２より大きな付勢力を押圧体４２に加えることで、押圧体４２からの付勢力によって、円柱部材２２は筒部材１２の一方に移動し、突起部１０が第３ガイド部６３に当接して摺動することで、円柱部材２２は筒部材１２に対して所定角度だけ相対的に回動する第３動作を行う。
図４（Ｂ）および図４（ｄ）は、この第３動作の終了時点を示している。
【００４０】
図４（Ｂ）に示す状態で、押圧体４２からの付勢力を解除する。押圧体４２からの付勢力の解除によって、円柱部材２２は筒部材１２の他方に移動し、突起部１０は第４ガイド部６４に当接して摺動することで、円柱部材２２は筒部材１２に対して所定角度だけ相対的に回動する第４動作を行う。
図４（Ａ）および図４（ａ）は、この第４動作の終了時点を示している。
以上のように、第２停止位置１０ｂにある突起部１０は、第３動作および第４動作の後に第１停止位置１０ａに移動し、円柱部材２２の軸方向への往復動作によって第２停止位置１０ｂから第１停止位置１０ａへの切り替え動作を行わせることができる。
【００４１】
以上のように本実施例によれば、第１ガイド部６１、第２ガイド部６２、第３ガイド部６３、および第４ガイド部６４はすべて筒部材１２または円柱部材２２の軸線ｙに対して傾斜し、突起部１０は常に傾斜させたガイド部に沿って移動するため、軸方向への付勢力の一部を常に周方向の動作に用いることができ、部材に無理な負荷をかけることなく、スムーズな切り替え動作を行わせることができる。
また、本実施例は、第１動作、第２動作、第３動作、および第４動作における円柱部材２２の回動動作は筒部材１２に対して同じ方向であり、第１動作開始から第４動作終了までの間に円柱部材２２は筒部材１２に対して３６０度回転する。本実施例によれば、円柱部材２２が筒部材１２に対して一方向に回動することで第１停止位置１０ａと第２停止位置１０ｂとの切り替え動作を繰り返すことができる。
また、本実施例は、突起部１０を筒部材１２に形成し、ガイド部を溝６０として円柱部材２２に形成している。本実施例によれば、筒部材１２内面よりも円柱部材２２の外面が成形しやすいため、ガイド部を成形しやすい。
【００４２】
図５は本実施例による切替装置を扉ロックなどのロック機構に適用した場合の構成図であり、図５（ａ）は同切替装置の断面図、図５（ｂ）は同装置に用いる円柱部材の側面の展開図である。
本実施例による切替装置は、筒部材１３と、筒部材１３内に配置される円柱部材２３と、円柱部材２３を一方へ付勢する弾性部材３３と、円柱部材２３を他方へ押圧する押圧体４３と、ロックバー８１とを備えている。
円柱部材２３の一端には、押圧体４３の一端が固定されている。押圧体４３の他端は筒部材１３の一端から外方に突出して操作部４３ａを設けている。ロックバー８１は筒部材１３の他端に固定され、少なくとも一方向に突出している。
筒部材１３の外周には鍔部１３ａが形成されている。筒部材１３の外周には、例えばコイルバネなどの弾性部材３３が配置されている。弾性部材３３の一端は鍔部１３ａに当接し、弾性部材３３の他端は操作部４３ａに当接している。
弾性部材３３の一端と鍔部１３ａとの間、および弾性部材３３の他端と操作部４３ａとの間の少なくとも一方は、摺動可能に当接している。従って、本実施例では、上記２つの実施例と異なり、筒部材１３が回転し、筒部材１３とともにロックバー８１が回転する。
係合部８２は、ロックバー８１が所定の位置にあるときにロックバー８１に係合する。
筒部材１３には、突起部１０を形成している。また、円柱部材２３には、突起部１０が摺動する溝６０を環状に形成している。溝６０については、図１に示す実施例と同一であるため、同一符号を付して説明を省略する。
【００４３】
図６は、本実施例による切替装置の動作を示す説明図である。
図６（Ａ）は同装置のロック機構がロックされた状態、図６（Ｂ）は同装置の切替動作状態、図６（Ｃ）は同装置のロック機構が解除された状態を示している。また、図６（ａ）は同装置のロック状態での突起部の位置、図６（ｂ）は同装置の切替動作状態での突起部の位置、図６（ｃ）は同装置のロック解除状態での突起部の位置、図６（ｄ）は同装置の切替動作状態での突起部の位置、図６（ａ→ｂ）は同装置の第１動作、図６（ｂ→ｃ）は同装置の第２動作、図６（ｃ→ｄ）は同装置の第３動作、図６（ｄ→ａ）は同装置の第４動作を示している。
なお、図６（ａ）、図６（ｂ）、図６（ｃ）、図６（ｄ）、図６（ａ→ｂ）、図６（ｂ→ｃ）、図６（ｃ→ｄ）、図６（ｄ→ａ）に関しては、図２に示す実施例と機能および動作が同一であるため、同一符号を付して説明を省略する。
【００４４】
図６（ａ）に示すように、同装置の使用状態では、突起部１０は、第１停止位置１０ａに位置している。
そして、図６（Ａ）に示すように、同装置のロック状態では、ロックバー８１が係合部８２に係合している。
【００４５】
図６（Ａ）に示す状態で、操作部４３ａによって押圧体４３を押圧する。弾性部材３３より大きな付勢力を押圧体４３に加えることで、押圧体４３からの付勢力によって、円柱部材２３は筒部材１３の一方に移動し、突起部１０が第１ガイド部６１に当接して摺動することで、円柱部材２３は筒部材１３に対して所定角度だけ相対的に回動する第１動作を行う。本実施例では、係合部８２に対して筒部材１３およびロックバー８１が回動する。
図６（Ｂ）および図６（ｂ）は、この第１動作の終了時点を示している。
【００４６】
図６（Ｂ）に示す状態で、操作部４３ａによる押圧体４３からの付勢力を解除する。押圧体４３からの付勢力の解除によって、円柱部材２３は筒部材１３の他方に移動し、突起部１０は第２ガイド部６２に当接して摺動することで、円柱部材２３は筒部材１３に対して所定角度だけ相対的に回動する第２動作を行う。本実施例では、係合部８２に対して筒部材１３およびロックバー８１が回動する。
図６（Ｃ）および図６（ｃ）は、この第２動作の終了時点を示している。
【００４７】
図６（ｃ）に示すように、同装置の収納状態では、突起部１０は、第２停止位置１０ｂに位置している。
そして、図６（Ｃ）に示すように、同装置のロック解除状態では、ロックバー８１が係合部８２から解除される。
以上のように、第１停止位置１０ａにある突起部１０は、第１動作および第２動作の後に第２停止位置１０ｂに移動し、円柱部材２３の軸方向への往復動作によって第１停止位置１０ａから第２停止位置１０ｂへの切り替え動作を行わせることができる。
【００４８】
図６（Ｃ）に示す状態で、操作部４３ａによって押圧体４３を押圧する。弾性部材３３より大きな付勢力を押圧体４３に加えることで、押圧体４３からの付勢力によって、円柱部材２３は筒部材１３の一方に移動し、突起部１０が第３ガイド部６３に当接して摺動することで、円柱部材２３は筒部材１３に対して所定角度だけ相対的に回動する第３動作を行う。本実施例では、係合部８２に対して筒部材１３およびロックバー８１が回動する。
図６（Ｂ）および図６（ｄ）は、この第３動作の終了時点を示している。
【００４９】
図６（Ｂ）に示す状態で、操作部４３ａによる押圧体４３からの付勢力を解除する。押圧体４３からの付勢力の解除によって、円柱部材２３は筒部材１３の他方に移動し、突起部１０は第４ガイド部６４に当接して摺動することで、円柱部材２３は筒部材１３に対して所定角度だけ相対的に回動する第４動作を行う。本実施例では、係合部８２に対して筒部材１３およびロックバー８１が回動する。
図６（Ａ）および図６（ａ）は、この第４動作の終了時点を示している。
以上のように、第２停止位置１０ｂにある突起部１０は、第３動作および第４動作の後に第１停止位置１０ａに移動し、円柱部材２３の軸方向への往復動作によって第２停止位置１０ｂから第１停止位置１０ａへの切り替え動作を行わせることができる。
【００５０】
以上のように本実施例によれば、第１ガイド部６１、第２ガイド部６２、第３ガイド部６３、および第４ガイド部６４はすべて筒部材１３または円柱部材２３の軸線ｙに対して傾斜し、突起部１０は常に傾斜させたガイド部に沿って移動するため、軸方向への付勢力の一部を常に周方向の動作に用いることができ、部材に無理な負荷をかけることなく、スムーズな切り替え動作を行わせることができる。
また、本実施例は、第１動作、第２動作、第３動作、および第４動作における円柱部材２３の回動動作は筒部材１３に対して同じ方向であり、第１動作開始から第４動作終了までの間に円柱部材２３は筒部材１３に対して３６０度回転する。本実施例によれば、円柱部材２３が筒部材１３に対して一方向に回動することで第１停止位置１０ａと第２停止位置１０ｂとの切り替え動作を繰り返すことができる。
また、本実施例は、突起部１０を筒部材１３に形成し、ガイド部を溝６０として円柱部材２３に形成している。本実施例によれば、筒部材１３内面よりも円柱部材２３の外面が成形しやすいため、ガイド部を成形しやすい。
【００５１】
以上のように、各実施例によれば、連続した溝６０の側壁で第１ガイド部６１、第２ガイド部６２、第３ガイド部６３、および第４ガイド部６４を形成することで、ガイド部の強度を高めることができるとともに製作が容易である。
なお、各実施例では、第１ガイド部６１、第２ガイド部６２、第３ガイド部６３、および第４ガイド部６４の全てを直線状に形成したものを示したが、第１ガイド部６１、第２ガイド部６２、第３ガイド部６３、および第４ガイド部６４の少なくともいずれかを直線状に形成することで、直線状に形成したガイド部では突起部１０の周方向動作および軸方向動作を一定速さとすることができる。
また、第１ガイド部６１、第２ガイド部６２、第３ガイド部６３、および第４ガイド部６４の少なくともいずれかを曲線状に形成することで、曲線状に形成したガイド部では突起部１０の周方向動作および軸方向動作の速さに変化を持たせることができる。
また、溝６０の断面形状を、矩形または台形とすることで、突起部１０を溝６０に沿って摺動させやすい。
また、突起部１０を、円柱状または円錐台状とすることで、突起部１０の当接面を小さくできるため突起部１０を溝６０に沿って摺動させやすい。
また、各実施例は、突起部１０を筒部材１１、１２、１３に形成し、ガイド部を溝６０として円柱部材２１、２２、２３に形成したが、突起部１０を円柱部材２１、２２、２３に形成し、ガイド部を筒部材１１、１２、１３に形成してもよい。
【産業上の利用可能性】
【００５２】
本発明の切替装置は、押圧体の押圧に水圧やガス圧を利用して、例えば高圧洗浄車の洗浄ノズルの切替装置として適用することができる。
【符号の説明】
【００５３】
１０  突起部
１０ａ  第１停止位置
１０ｂ  第２停止位置
１１、１２、１３  筒部材
２１、２２、２３  円柱部材
３１、３２、３３  弾性部材
４１、４２、４３  押圧体
５０  電極部
５１  第１電極部
５２  第２電極部
６０  溝
６１  第１ガイド部
６１ａ  第１ガイド部開始位置
６１ｂ  第１ガイド部終了位置
６１ｘ  第１ガイド部仮想線
６１α  第１ガイド部仮想傾斜角
６２  第２ガイド部
６２ａ  第２ガイド部開始位置
６２ｂ  第２ガイド部終了位置
６２ｘ  第２ガイド部仮想線
６２α  第２ガイド部仮想傾斜角
６３  第３ガイド部
６３ａ  第３ガイド部開始位置
６３ｂ  第３ガイド部終了位置
６３ｘ  第３ガイド部仮想線
６３α  第３ガイド部仮想傾斜角
６４  第４ガイド部
６４ａ  第４ガイド部開始位置
６４ｂ  第４ガイド部終了位置
６４ｘ  第４ガイド部仮想線
６４α  第４ガイド部仮想傾斜角
７０  リフィール
７１  筆記部
８１  ロックバー
８２  係合部
【図１】
0006521639.tif 000002
【図２】
0006521639.tif 000003
【図３】
0006521639.tif 000004
【図４】
0006521639.tif 000005
【図５】
0006521639.tif 000006
【図６】
0006521639.tif 000007